(57)【特許請求の範囲】
【請求項１】
冷媒を加圧する圧縮機、熱媒との熱交換によって冷媒を凝縮させる熱媒熱交換器、冷媒を減圧させる減圧機構、冷媒を蒸発させる蒸発器、及び、室内空気との熱交換によって冷媒を凝縮させることで、冷媒の熱によって室内を暖房する室内空気熱交換器を備える１個のヒートポンプと、
熱媒の熱を利用して室内を暖房する暖房端末と、
熱を蓄える蓄熱槽と、
蓄熱槽内に蓄えられた熱を利用して温水を温水利用箇所に供給する供給手段と、
室内の温度を検出する検出手段と、
を備えており、
熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱とを同時に行う蓄熱暖房同時運転を実行可能であり、
蓄熱暖房同時運転の実行中であって検出手段によって検出される温度が特定温度以上である第１の場合には、蓄熱暖房同時運転の実行中であって検出手段によって検出される温度が特定温度より低い第２の場合に比べて、第１暖房と第２暖房のうちの一方の暖房能力を低下させる、
ヒートポンプシステム。
【請求項２】
第１の場合に、第２の場合に比べて、暖房端末への熱媒流量を減少させ、蓄熱槽への熱媒流量を増加させることによって、前記第１暖房の暖房能力を低下させる、
請求項１のヒートポンプシステム。
【請求項３】
第１の場合に、第２の場合に比べて、室内空気熱交換器への冷媒流量を減少させ、熱媒熱交換器への冷媒流量を増加させることによって、前記第２暖房の暖房能力を低下させる、
請求項１のヒートポンプシステム。
【請求項４】
冷媒を加圧する圧縮機、熱媒との熱交換によって冷媒を凝縮させる熱媒熱交換器、室内空気との熱交換によって冷媒を凝縮させることで冷媒の熱によって室内を暖房する室内空気熱交換器、冷媒を減圧させる減圧機構、及び、冷媒を蒸発させる蒸発器を備える１個のヒートポンプと、
熱媒の熱を利用して室内を暖房する暖房端末と、
熱を蓄える蓄熱槽と、
蓄熱槽内に蓄えられた熱を利用して温水を温水利用箇所に供給する供給手段と、
を備えており、
室内を暖房するとともに蓄熱槽内の熱量を増やす蓄熱を同時に行う蓄熱暖房同時運転と、を実行可能であり、
蓄熱暖房同時運転を実行する場合には、冷媒を圧縮機、熱媒熱交換器、減圧機構、蒸発器の順に循環させ、かつ、熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱と、を同時に行うものであって、
（ｉ）暖房端末による前記第１暖房の暖房効率が、室内空気熱交換器による前記第２暖房の暖房効率よりも悪い場合においては、暖房端末への熱媒流量を蓄熱槽への熱媒流量よりも少なくして、前記第１暖房の暖房能力を低下させ、
（ｉｉ）室内空気熱交換器による前記第２暖房の暖房効率が、暖房端末による前記第１暖房の暖房効率よりも悪い場合においては、室内空気熱交換器への冷媒流量を、熱媒熱交換器への冷媒流量よりも少なくして、前記第２暖房の暖房能力を低下させる、
ヒートポンプシステム。
【請求項５】
冷媒を加圧する圧縮機、熱媒との熱交換によって冷媒を凝縮させる熱媒熱交換器、室内空気との熱交換によって冷媒を凝縮させることで冷媒の熱によって室内を暖房する室内空気熱交換器、冷媒を減圧させる減圧機構、及び、冷媒を蒸発させる蒸発器を備える１個のヒートポンプと、
熱媒の熱を利用して室内を暖房する暖房端末と、
熱を蓄える蓄熱槽と、
蓄熱槽内に蓄えられた熱を利用して温水を温水利用箇所に供給する供給手段と、
を備えており、
室内を暖房するとともに蓄熱槽内の熱量を増やす蓄熱を同時に行う蓄熱暖房同時運転と、を実行可能であり、
蓄熱暖房同時運転を実行する場合には、冷媒を圧縮機、熱媒熱交換器、減圧機構、蒸発器の順に循環させ、かつ、熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱と、を同時に行うものであって、
（ａ）暖房端末が、室内において、室内空気熱交換器よりも高い位置に設けられている場合においては、暖房端末への熱媒流量を、蓄熱槽への熱媒流量よりも少なくして、前記第１暖房の暖房能力を低下させ、
（ｂ）室内空気熱交換器が、室内において、暖房端末よりも高い位置に設けられている場合においては、室内空気熱交換器への冷媒流量を、熱媒熱交換器への冷媒流量よりも少なくして、前記第２暖房の暖房能力を低下させる、
ヒートポンプシステム。
【発明の詳細な説明】
【技術分野】
【０００１】
本発明は、ヒートポンプシステムに関する。
【背景技術】
【０００２】
特許文献１には、冷媒を加圧する圧縮機、熱媒との熱交換によって冷媒を凝縮させる熱媒熱交換器、冷媒を減圧させる減圧機構、及び、冷媒を蒸発させる蒸発器を備えるヒートポンプと、熱媒の熱を利用して室内を暖房する暖房端末と、熱を蓄える蓄熱槽と、蓄熱槽内に蓄えられた熱を利用して温水を温水利用箇所に供給する供給手段とを備えるヒートポンプシステムが開示されている。このヒートポンプシステムは、熱媒を熱媒熱交換器と暖房端末との間で循環させる暖房と、熱媒を熱媒熱交換器と蓄熱槽との間で循環させる蓄熱とを同時に行う蓄熱暖房同時運転を実行可能である。
【先行技術文献】
【特許文献】
【０００３】
【特許文献１】特開２０１０−１９６９５０号公報
【発明の概要】
【発明が解決しようとする課題】
【０００４】
特許文献１のヒートポンプシステムでは、圧縮機の能力に応じて、暖房能力及び蓄熱能力が決定される。特許文献１のヒートポンプシステムでは、蓄熱暖房同時運転を実行している間は、圧縮機の能力によって、暖房能力と蓄熱能力の両方を賄わなければならない。しかしながら、特許文献１のヒートポンプシステムでは、蓄熱暖房同時運転を実行する際に、圧縮機の能力を暖房と蓄熱とに適切に割り当てることは考慮されていない。
【０００５】
本明細書では、圧縮機の能力を暖房と蓄熱とに適切に割り当てることができるヒートポンプシステムを開示する。
【課題を解決するための手段】
【０００６】
本明細書が開示する一つのヒートポンプシステムは、冷媒を加圧する圧縮機、熱媒との熱交換によって冷媒を凝縮させる熱媒熱交換器、冷媒を減圧させる減圧機構、冷媒を蒸発させる蒸発器、及び、室内空気との熱交換によって冷媒を凝縮させることで、冷媒の熱によって室内を暖房する室内空気熱交換器を備える１個のヒートポンプと、熱媒の熱を利用して室内を暖房する暖房端末と、熱を蓄える蓄熱槽と、蓄熱槽内に蓄えられた熱を利用して温水を温水利用箇所に供給する供給手段と、室内の温度を検出する検出手段と、を備えている。そのヒートポンプシステムは、熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱とを同時に行う蓄熱暖房同時運転を実行可能であり、蓄熱暖房同時運転の実行中であって検出手段によって検出される温度が特定温度以上である第１の場合には、蓄熱暖房同時運転の実行中であって検出手段によって検出される温度が特定温度より低い第２の場合に比べて、第１暖房と第２暖房のうちの一方の暖房能力を低下させる。
【０００７】
蓄熱暖房同時運転を実行する場合（即ち、室内を暖房するとともに、蓄熱槽内の蓄熱量を増加させる場合）において、室内の温度が特定温度以上である第１の場合には、室内の温度が特定温度より低い第２の場合に比べて、要求される暖房能力が低い。上記の構成によると、第１の場合に、第２の場合に比べて、暖房能力を低下させる。そのため、第１の場合に、第２の場合に比べて、圧縮機の能力を、暖房に少なく割り当て、蓄熱により多く割り当てることができる。従って、上記のヒートポンプシステムによると、状況に応じて、圧縮機の能力を暖房と蓄熱に適切に割り当てることができる。
【０００８】
ヒートポンプシステムは、第１の場合に、第２の場合に比べて、暖房端末への熱媒流量を減少させ、蓄熱槽への熱媒流量を増加させることによって、第１暖房の暖房能力を低下させることが好ましい。
【０００９】
この構成によると、供給される熱媒流量を調節することによって、圧縮機の能力を暖房と蓄熱に適切に割り当てることができる。
【００１０】
ヒートポンプシステムは、第１の場合に、第２の場合に比べて、室内空気熱交換器への冷媒流量を減少させ、熱媒熱交換器への冷媒流量を増加させることによって、第２暖房の暖房能力を低下させることが好ましい。
【００１１】
この構成によると、ヒートポンプシステムが、暖房端末と室内空気熱交換器の両方を用いて室内を暖房することができる構成を有する場合においても、第２暖房の暖房能力を調節することによって、圧縮機の能力を暖房と蓄熱に適切に割り当てることができる。
【００１２】
本明細書が開示するもう一つのヒートポンプシステムは、冷媒を加圧する圧縮機、熱媒との熱交換によって冷媒を凝縮させる熱媒熱交換器、室内空気との熱交換によって冷媒を凝縮させることで冷媒の熱によって室内を暖房する室内空気熱交換器、冷媒を減圧させる減圧機構、及び、冷媒を蒸発させる蒸発器を備える１個のヒートポンプと、熱媒の熱を利用して室内を暖房する暖房端末と、熱を蓄える蓄熱槽と、蓄熱槽内に蓄えられた熱を利用して温水を温水利用箇所に供給する供給手段と、を備えている。そのヒートポンプシステムは、室内を暖房するとともに蓄熱槽内の熱量を増やす蓄熱を同時に行う蓄熱暖房同時運転と、を実行可能であり、蓄熱暖房同時運転を実行する場合には、冷媒を圧縮機、熱媒熱交換器、減圧機構、蒸発器の順に循環させ、かつ、熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱と、を同時に行うものであって、（ｉ）暖房端末による第１暖房の暖房効率が、室内空気熱交換器による第２暖房の暖房効率よりも悪い場合においては、暖房端末への熱媒流量を蓄熱槽への熱媒流量よりも少なくして、第１暖房の暖房能力を低下させ、（ｉｉ）室内空気熱交換器による前記第２暖房の暖房効率が、暖房端末による第１暖房の暖房効率よりも悪い場合においては、室内空気熱交換器への冷媒流量を、熱媒熱交換器への冷媒流量よりも少なくして、第２暖房の暖房能力を低下させる。
【００１３】
上記の構成によると、暖房端末と室内空気熱交換器の両方を用いて室内を暖房する蓄熱暖房同時運転を実行する場合に、暖房端末による第１暖房と、室内空気熱交換器による第２暖房とのうち、暖房効率が悪い方の暖房能力を抑制させて、圧縮機の能力を、蓄熱により多く割り当てることができる。なお、暖房効率が良い方の暖房能力は抑制しないため、室内の利用者の暖房要求を満たすことができる。
【００１４】
本明細書が開示するもう一つのヒートポンプシステムは、冷媒を加圧する圧縮機、熱媒との熱交換によって冷媒を凝縮させる熱媒熱交換器、室内空気との熱交換によって冷媒を凝縮させることで冷媒の熱によって室内を暖房する室内空気熱交換器、冷媒を減圧させる減圧機構、及び、冷媒を蒸発させる蒸発器を備える１個のヒートポンプと、熱媒の熱を利用して室内を暖房する暖房端末と、熱を蓄える蓄熱槽と、蓄熱槽内に蓄えられた熱を利用して温水を温水利用箇所に供給する供給手段と、を備えている。そのヒートポンプシステムは、室内を暖房するとともに蓄熱槽内の熱量を増やす蓄熱を同時に行う蓄熱暖房同時運転と、を実行可能であり、蓄熱暖房同時運転を実行する場合には、冷媒を圧縮機、熱媒熱交換器、減圧機構、蒸発器の順に循環させ、かつ、熱媒を熱媒熱交換器と暖房端末との間で循環させる第１暖房と、冷媒を圧縮機、室内空気熱交換器、減圧機構、蒸発器の順に循環させる第２暖房と、熱媒を熱媒熱交換器と蓄熱槽との間で循環させる蓄熱と、を同時に行うものであって、（ａ）暖房端末が、室内において、室内空気熱交換器よりも高い位置に設けられている場合においては、暖房端末への熱媒流量を、蓄熱槽への熱媒流量よりも少なくして、第１暖房の暖房能力を低下させ、（ｂ）室内空気熱交換器が、室内において、暖房端末よりも高い位置に設けられている場合においては、室内空気熱交換器への冷媒流量を、熱媒熱交換器への冷媒流量よりも少なくして、第２暖房の暖房能力を低下させる。
【００１５】
上記の構成によると、暖房端末と室内空気熱交換器の両方を用いて室内を暖房する蓄熱暖房同時運転を実行する場合に、室内空気熱交換器と、暖房端末とのうち、室内においてより高い位置に設けられている方による暖房の能力を抑制させて、圧縮機の能力を蓄熱により多く割り当てることができる。なお、通常、室内を暖房する場合、室内において低い位置に設けられている端末を用いて暖房する方が、高い位置に設けられている端末を用いて暖房する場合に比べ、室内の利用者が快適に感じる可能性が高い。上記のヒートポンプシステムでは、室内の低い位置に設けられている方の暖房能力は抑制しないため、室内の利用者の暖房要求を満たすことができる。
【図面の簡単な説明】
【００１６】
【図１】給湯暖房システム２の構成を模式的に示す図。
【図２】給湯暖房システム２における蓄熱単独運転の様子を模式的に示す図。
【図３】給湯暖房システム２における暖房単独運転の様子を模式的に示す図。
【図４】給湯暖房システム２における第１の蓄熱暖房同時運転の様子を模式的に示す図。
【図５】給湯暖房システム２における第２の蓄熱暖房同時運転の様子を模式的に示す図。
【図６】給湯暖房システム２における第３の蓄熱暖房同時運転の様子を模式的に示す図。
【図７】第１実施例で制御装置８が実行する蓄熱暖房制御処理を示すフローチャート。
【図８】第２、第３実施例で制御装置８が実行する蓄熱暖房制御処理を示すフローチャート。
【発明を実施するための形態】
【００１７】
（第１実施例）
（システム構成；図１）
図１に示すように、本実施例の給湯暖房システム２は、ヒートポンプ空調装置４と、給湯床暖房装置６と、制御装置８と、を備えている。
【００１８】
ヒートポンプ空調装置４は、冷媒（例えば、Ｒ３２やＲ４１０といったＨＦＣ冷媒や、Ｒ７４４といったＣＯ2冷媒等）を用いて、室外空気からの吸熱及び室内空気への放熱を行う。ヒートポンプ空調装置４は、圧縮機１２と、流量調整弁１４と、熱媒熱交換器１６と、第１膨張弁１８と、室外空気熱交換器２０と、第１ファン２２と、室内空気熱交換器２６と、第２ファン２８と、第２膨張弁３０と、冷媒循環路３２と、を備えている。
【００１９】
圧縮機１２は、気相状態の冷媒を圧縮して送り出す。流量調整弁１４は、３つのポートａ、ｂ及びｃを備えており、圧縮機１２からポートａに供給された気相状態の冷媒を、ポートｂとポートｃとに供給可能である。流量調整弁１４は、開度を調整することにより、ポートａからポートｃに流れる冷媒（即ち熱媒熱交換器１６に供給される冷媒）の流量と、ポートａからポートｂに流れる冷媒（即ち室内空気熱交換器２６に供給される冷媒）の流量との割合を調整することができる。熱媒熱交換器１６は、後述の熱媒循環路５０内を通過する熱媒と、冷媒循環路３２内を通過する冷媒との間で熱交換する。第１膨張弁１８は、液相状態の冷媒を断熱膨張させて減圧する。室外空気熱交換器２０は、第１ファン２２によって送風される室外空気と、冷媒との間で熱交換をする。室外空気熱交換器２０及び第１ファン２２は、室外に配置されている。第１ファン２２の近傍には、外気温を検出する外気温サーミスタ４０が備えられている。
【００２０】
室内空気熱交換器２６は、第２ファン２８によって送風される室内空気と、冷媒との間で熱交換をする。室内空気熱交換器２６及び第２ファン２８は、室内であって、後述の暖房端末５６（即ち床暖房用の端末）よりも室内の高い位置に配置されている。第２ファン２８の近傍には、室内の温度を検出する室内温度サーミスタ４２が備えられている。第２膨張弁３０は、液相状態の冷媒を断熱膨張させて減圧する。
【００２１】
冷媒循環路３２は、冷媒を、圧縮機１２と、流量調整弁１４と、熱媒熱交換器１６と、第１膨張弁１８と、室外空気熱交換器２０と、室内空気熱交換器２６と、第２膨張弁３０と、の間で循環させる。
【００２２】
給湯床暖房装置６は、熱媒（例えば、水、不凍液等）の熱を用いて室内空気への放熱（いわゆる床暖房）を行うとともに、熱媒の熱を用いてタンク６２内の水を加熱し、タンク６２に蓄えられた温水を温水利用箇所に供給する。給湯床暖房装置６は、熱媒熱交換器１６と、熱媒循環路５０と、流量調整弁５２と、ポンプ５４と、暖房端末５６と、タンク６２と、タンクサーミスタ６３と、温水供給管６６と、水導入管６８と、を備えている。
【００２３】
熱媒循環路５０は、熱媒を、熱媒熱交換器１６と暖房端末５６とタンク６２との間で循環させる。流量調整弁５２は、３つのポートｄ、ｅ及びｆを備えており、熱媒熱交換器１６からからポートｄに供給された高温の熱媒を、ポートｅとポートｆとに供給可能である。流量調整弁５２は、開度を調整することにより、ポートｄからポートｅに流れる熱媒（即ちタンク６２に供給される熱媒）の流量と、ポートｄからポートｆに流れる熱媒（即ち暖房端末５６に供給される熱媒）の流量との割合を調整することができる。ポンプ５４は、熱媒循環路５０内の熱媒を循環させる。暖房端末５６は、熱媒の熱を室内に放熱する。暖房端末５６は、室内の床に配置されている床暖房端末である。即ち、暖房端末５６は、室内において、上記の室内空気熱交換器２６よりも低い位置に設けられている。暖房端末５６は、熱媒循環路５０のうち熱媒熱交換器１６よりも下流側に備えられている。そのため、暖房端末５６には、熱媒熱交換器１６で加熱された後の熱媒が供給される。熱媒熱交換器１６は、熱媒循環路５０のうち暖房端末５６及びタンク６２よりも下流側の部分に備えられている。熱媒熱交換器１６には、暖房端末５６とタンク６２の一方又は双方で放熱した後の低温の熱媒が供給される。
【００２４】
タンク６２は、温水供給管６６を介して温水利用箇所で利用される水を蓄える。タンク６２は密閉型であり、断熱材により外側が覆われている。タンク６２内には熱媒循環路５０が通されている。タンク６２内を通過する熱媒循環路５０内の熱媒とタンク６２内の水との間で熱交換が行われることにより、タンク６２内の水が加熱される。温水供給管６６は、上流端がタンク６２の上部に接続されている。温水供給管６６の下流端側は温水利用箇所に配置されている。温水供給管６６は、ユーザの操作（例えばカランを開く操作）に従って、タンク６２内の温水を温水利用箇所に供給する。水導入管６８の上流端は、図示しない上水道に接続されており、下流端は、タンク６２の下部に接続されている。温水供給管６６からタンク６２内の温水が温水利用箇所に供給されると、水導入管６８は、温水利用箇所に供給された温水の量と同じ量の水を上水道からタンク６２内に導入する。そのため、タンク６２内には常時満水まで水が蓄えられる。タンクサーミスタ６３は、タンク６２内の水の温度を検出する。
【００２５】
制御装置８は、ＣＰＵ、ＲＯＭ、ＲＡＭ等を備えている。ＲＯＭには各種の運転プログラムが格納されている。ＲＡＭには、制御装置８に入力される各種信号や、ＣＰＵが処理を実行する過程で生成される種々のデータが一時的に記憶される。制御装置８では、ＣＰＵがＲＯＭやＲＡＭに記憶された情報に基づいて、ヒートポンプ空調装置４及び給湯床暖房装置６の各構成要素の動作を制御する。また、制御装置８には、図示しないリモコンが接続されている。リモコンには、ユーザが給湯暖房システム２を操作するためのスイッチ、ユーザに給湯暖房システム２の動作状態を表示する液晶表示器等が設けられている。
【００２６】
（給湯暖房システム２の動作）
次いで、給湯暖房システム２の動作について説明する。給湯暖房システム２は、給湯運転、蓄熱単独運転、暖房単独運転、及び、蓄熱暖房同時運転（即ち、第１の蓄熱暖房同時運転、第２の蓄熱暖房同時運転、第３の蓄熱暖房同時運転）を実行可能である。
【００２７】
（給湯運転）
ユーザによって台所や浴室のカランが開かれた場合や、浴槽への湯張りを行う場合に、給湯暖房システム２は給湯運転を開始する。浴槽への湯張りは、例えばユーザがリモコンの湯張り開始スイッチを押すことで開始することもあるし、ユーザがリモコンに設定した湯張り完了時刻に基づく湯張り開始時刻が到来することで開始することもある。給湯運転は、後述する蓄熱単独運転、暖房単独運転、蓄熱暖房同時運転と並行して行うことも可能である。給湯運転では、給湯暖房システム２は、タンク６２内の温水を、温水供給管６６を介して温水利用箇所に供給する。
【００２８】
（蓄熱単独運転；図２）
ユーザから暖房が指示されておらず、かつ、タンク６２への蓄熱要求が発生した場合に、給湯暖房システム２は蓄熱単独運転を行う。蓄熱要求は、例えば給湯運転を行った結果、タンク６２内の蓄熱量が少なくなった場合に発生する。具体的に言うと、蓄熱要求は、タンクサーミスタ６３が検出する温度が、所定の蓄熱開始温度より低くなった場合に発生する。蓄熱単独運転では、タンク６２内の水を所定の蓄熱終了温度まで沸かし上げて、タンク６２に蓄熱する。図２に示すように、蓄熱単独運転では、制御装置８は、流量調整弁１４を、ポートａに供給された冷媒の全流量がポートｃに供給され、ポートｂに供給されないように調整する（即ち、ポートａとポートｃが連通し、ポートａとポートｂが連通しない）。また、制御装置８は、第１ファン２２を駆動するとともに、圧縮機１２を駆動する。さらに、制御装置８は、流量調整弁５２を、ポートｄに供給された熱媒の全流量がポートｅ（即ち、タンク６２側）に供給され、ポートｆ（即ち、暖房端末５６側）には熱媒が供給されないように調整する（即ち、ポートｄとポートｅが連通し、ポートｄとポートｆが連通しない）。さらに、制御装置８は、ポンプ５４を駆動する。
【００２９】
圧縮機１２で加圧されて高温高圧となった気相状態の冷媒は、流量調整弁１４（ポートｃ）を介して、熱媒熱交換器１６へ送られる。高温高圧の気相状態の冷媒は、熱媒熱交換器１６での熱媒循環路５０内の熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、室外空気熱交換器２０へ送られる。低温低圧の液相状態の冷媒は、室外空気熱交換器２０での室外空気との熱交換によって加熱されて蒸発し、気相状態となる。気相状態となった冷媒は、圧縮機１２に戻される。
【００３０】
また、ポンプ５４が駆動することによって、熱媒循環路５０内で熱媒が循環する。熱媒熱交換器１６での高温高圧の冷媒との熱交換によって加熱された高温の熱媒は、流量調整弁５２（ポートｅ）を介して、タンク６２へ送られる。高温の熱媒は、タンク６２内を通過する間に、タンク６２内の水と熱交換を行うことによって冷却される。この結果、タンク６２内の水が熱媒の熱によって加熱される。タンク６２を通過した後の低温の熱媒は、熱媒熱交換器１６に供給され、冷媒との熱交換によって再度加熱される。
【００３１】
給湯暖房システム２は、上記のようなサイクルで冷媒及び熱媒を循環させることにより、タンク６２内の温水を加熱することができる。制御装置８は、上記の蓄熱単独運転を開始した後、タンクサーミスタ６３が検出する温度が所定の蓄熱終了温度に到達すると、蓄熱単独運転を終了する。
【００３２】
（暖房単独運転；図３）
ユーザから暖房が指示されており、タンク６２への蓄熱要求が発生していない場合に、給湯暖房システム２は暖房単独運転を行う。図３に示すように、暖房単独運転では、制御装置８は、流量調整弁１４を、ポートａに供給された冷媒の一部がポートｂに供給され、他の一部がポートｃに供給されるように開度を調整する（即ち、ポートａとポートｂ、ポートａとポートｃがそれぞれ連通する）。この際、制御装置８は、ポートｂに供給される冷媒の流量と、ポートｃに供給される冷媒の流量とがほぼ等しくなるように、流量調整弁１４の開度を調整する（即ちｂ＝ｃ）。また、制御装置８は、第１ファン２２及び第２ファン２８を駆動するとともに、圧縮機１２を駆動する。さらに、制御装置８は、流量調整弁５２を、ポートｄに供給された熱媒の全流量がポートｆ（即ち、暖房端末５６側）に供給され、ポートｅ（即ち、タンク６２側）には熱媒が供給されないように調整する（即ち、ポートｄとポートｆが連通し、ポートｄとポートｅが連通しない）。さらに、制御装置８は、ポンプ５４を駆動する。
【００３３】
圧縮機１２で加圧されて高温高圧となった気相状態の冷媒の一部は、流量調整弁１４（ポートｂ）を介して、室内空気熱交換器２６へ送られる。高温高圧の気相状態の冷媒は、室内空気熱交換器２６での室内空気との熱交換によって冷却されて凝縮し、液相状態となる。室内空気熱交換器２６で液相状態となった冷媒は第２膨張弁３０へ送られる。第２膨張弁３０で減圧されて低温低圧となった液相状態の冷媒は、第１膨張弁１８から送られる低温低圧の液相状態の冷媒と合流し、室外空気熱交換器２０へ送られる。低温低圧の液相状態の冷媒は、室外空気熱交換器２０での室外空気との熱交換によって加熱されて蒸発し、気相状態となる。気相状態となった冷媒は、圧縮機１２に戻される。
【００３４】
一方、圧縮機１２で加圧されて高温高圧となった気相状態の冷媒の他の一部は、流量調整弁１４（ポートｃ）を介して、熱媒熱交換器１６へ送られる。高温高圧の気相状態の冷媒は、熱媒熱交換器１６での熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、第２膨張弁３０から送られた低温低圧の液相状態の冷媒と合流し、室外空気熱交換器２０へ送られる。その後の冷媒の流れは上記の通りであるため、詳しい説明を省略する。
【００３５】
また、ポンプ５４が駆動することによって、熱媒循環路５０内で熱媒が循環する。熱媒熱交換器１６での高温高圧の冷媒との熱交換によって加熱された高温の熱媒は、流量調整弁５２（ポートｆ）を介して、暖房端末５６に送られる。高温の熱媒は、暖房端末５６で室内に熱を放熱することによって冷却される。暖房端末５６を通過した後の低温の熱媒は、ポンプ５４を介して熱媒熱交換器１６に供給され、冷媒との熱交換によって再度加熱される。
【００３６】
暖房単独運転では、給湯暖房システム２は、上記のようなサイクルで冷媒及び熱媒を循環させることにより、室内空気熱交換器２６及び暖房端末５６の両方で室内を暖房することができる。
【００３７】
（蓄熱暖房同時運転）
ユーザから暖房が指示されており、かつ、タンク６２への蓄熱要求が発生した場合に、給湯暖房システム２は蓄熱暖房同時運転を行う。本実施例では、給湯暖房システム２は、室内温度が暖房設定温度Ｔｓ以上であるか否かに応じて、異なる内容の蓄熱暖房同時運転を行うことができる。以下、三つの蓄熱暖房同時運転（第１の蓄熱暖房同時運転、第２の蓄熱暖房同時運転、第３の蓄熱暖房同時運転）の内容について説明する。
【００３８】
（第１の蓄熱暖房同時運転；図４）
本実施例では、第１の蓄熱暖房同時運転は、給湯暖房システム２が蓄熱暖房同時運転を実行すべき場合において、室内温度サーミスタ４２が検出する室内温度が暖房設定温度Ｔｓより低い場合に実行される運転である。室内温度が暖房設定温度Ｔｓより低い場合には、室内温度が暖房設定温度Ｔｓ以上である場合に比べ、要求される暖房能力が高い。図４に示すように、第１の蓄熱暖房同時運転では、制御装置８は、流量調整弁１４を、ポートａに供給された冷媒の一部がポートｂに供給され、他の一部がポートｃに供給されるように開度を調整する（即ち、ポートａとポートｂ、ポートａとポートｃがそれぞれ連通する）。この際、制御装置８は、ポートｂに供給される冷媒の流量と、ポートｃに供給される冷媒の流量とがほぼ等しくなるように、流量調整弁１４の開度を調整する。また、制御装置８は、第１ファン２２及び第２ファン２８を駆動するとともに、圧縮機１２を駆動する。さらに、制御装置８は、流量調整弁５２を、ポートｄに供給された熱媒の一部がポートｅに供給され、他の一部がポートｆに供給されるように開度を調整する（即ち、ポートｄとポートｅ、ポートｄとポートｆがそれぞれ連通する）。この際、制御装置８は、ポートｅに供給される熱媒の流量と、ポートｆに供給される熱媒の流量とがほぼ等しくなるように、流量調整弁５２の開度を調整する。さらに、制御装置８は、ポンプ５４を駆動する。
【００３９】
圧縮機１２が駆動することによる冷媒の動きは、上記の暖房単独運転（図３参照）の場合と同様であるため、詳しい説明は省略する。
【００４０】
第１の蓄熱暖房同時運転では、ポンプ５４が駆動することによって、熱媒循環路５０内で熱媒が循環する。熱媒熱交換器１６での高温高圧の冷媒との熱交換によって加熱された高温の熱媒の一部は、流量調整弁５２（ポートｆ）を介して、暖房端末５６に送られる。高温の熱媒は、暖房端末５６で室内に熱を放熱することによって冷却される。暖房端末５６を通過した後の低温の熱媒は、ポンプ５４を介して熱媒熱交換器１６に供給され、冷媒との熱交換によって再度加熱される。また、熱媒熱交換器１６での高温高圧の冷媒との熱交換によって加熱された高温の熱媒の他の一部は、流量調整弁（ポートｅ）を介して、タンク６２へ送られる。高温の熱媒は、タンク６２内を通過する間に、タンク６２内の水と熱交換を行うことによって冷却される。この結果、タンク６２内の水が熱媒の熱によって加熱される。タンク６２を通過した後の低温の熱媒は、熱媒熱交換器１６に供給され、冷媒との熱交換によって再度加熱される。
【００４１】
第１の蓄熱暖房同時運転では、給湯暖房システム２は、上記のようなサイクルで冷媒及び熱媒を循環させることにより、室内空気熱交換器２６及び暖房端末５６の両方で室内を暖房することができるとともに、タンク６２内に温水を蓄えることができる。制御装置８は、第１の蓄熱暖房同時運転を開始した後、タンクサーミスタ６３が検出する温度が所定の蓄熱終了温度に到達すると、第１の蓄熱暖房同時運転を終了する。この時点で、引き続き暖房運転指示が行われている場合（ユーザによって暖房の終了が指示されていない場合）には、制御装置８は、第１の蓄熱暖房同時運転の終了後、引き続いて上記の暖房単独運転を実行する。
【００４２】
（第２の蓄熱暖房同時運転；図５）
本実施例では、第２の蓄熱暖房同時運転は、給湯暖房システム２が蓄熱暖房同時運転を実行すべき場合において、室内温度サーミスタ４２が検出する室内温度が暖房設定温度Ｔｓ以上である場合に実行される運転である。室内温度が暖房設定温度Ｔｓ以上である場合には、室内温度が暖房設定温度Ｔｓより低い場合に比べ、要求される暖房能力が低い。図５に示すように、第２の蓄熱暖房同時運転では、制御装置８は、流量調整弁１４を、ポートａに供給された冷媒の一部がポートｂに供給され、他の一部がポートｃに供給されるように開度を調整する（即ち、ポートａとポートｂ、ポートａとポートｃがそれぞれ連通する）。第２の蓄熱暖房同時運転でも、制御装置８は、ポートｂに供給される冷媒の流量と、ポートｃに供給される冷媒の流量とがほぼ等しくなるように、流量調整弁１４の開度を調整する。また、制御装置８は、第１ファン２２及び第２ファン２８を駆動するとともに、圧縮機１２を駆動する。さらに、制御装置８は、流量調整弁５２を、ポートｄに供給された熱媒の全流量がポートｅ（即ち、タンク６２側）に供給され、ポートｆ（即ち、暖房端末５６側）には熱媒が供給されないように調整する（即ち、ポートｄとポートｅが連通し、ポートｄとポートｆが連通しない）。さらに、制御装置８は、ポンプ５４を駆動する。
【００４３】
圧縮機１２が駆動することによる冷媒の動きは、上記の暖房単独運転（図３参照）、及び、上記の第１の蓄熱暖房同時運転（図４参照）の場合と同様であるため、詳しい説明は省略する。また、ポンプ５４が駆動することによる熱媒の動きは、上記の蓄熱単独運転（図２参照）の場合と同様であるため、詳しい説明は省略する。
【００４４】
第２の蓄熱暖房同時運転では、給湯暖房システム２は、上記のようなサイクルで冷媒及び熱媒を循環させることにより、室内空気熱交換器２６で室内空気に放熱することによって室内を暖房することができるとともに、タンク６２内に温水を蓄えることができる。第２の蓄熱暖房同時運転では、暖房端末５６を熱媒が通過しないため、暖房端末５６による暖房は行われない。そのため、第１の蓄熱暖房同時運転に比べて、システム全体の暖房能力（即ち、単位時間当たりの室内への放熱量）は低くなる。しかしながら、熱媒熱交換器１６における冷媒との熱交換で加熱された高温の熱媒の全量がタンク６２を通過することになるため、第１の蓄熱暖房同時運転に比べて、蓄熱能力（即ち、単位時間当たりのタンク６２内の水への放熱量）は高くなる。上記の通り、本実施例では、第２の蓄熱暖房同時運転が行われるべき場合には、第１の蓄熱暖房同時運転が行われるべき場合に比べて必要な暖房能力が低い。この点、第２の蓄熱暖房同時運転では、第１の蓄熱暖房同時運転に比べてシステム全体の暖房能力を低くし、蓄熱能力を高くすることができる。状況に応じて、圧縮機１２の能力を適切に蓄熱と暖房に割り当てることができる。
【００４５】
なお、制御装置８は、第２の蓄熱暖房同時運転を開始した後、タンクサーミスタ６３が検出する温度が所定の蓄熱終了温度に到達すると、第２の蓄熱暖房同時運転を終了する。この時点で、引き続き暖房運転指示が行われている場合には、制御装置８は、第２の蓄熱暖房同時運転の終了後、引き続いて上記の暖房単独運転を実行する。
【００４６】
（第３の蓄熱暖房同時運転；図６）
第３の蓄熱暖房同時運転は、後述する本実施例の変形例で、給湯暖房システム２が蓄熱暖房同時運転を実行すべき場合において、室内温度サーミスタ４２が検出する室内温度が暖房設定温度Ｔｓ以上である場合に実行される運転である。図６に示すように、第３の蓄熱暖房同時運転では、流量調整弁１４を、ポートａに供給された冷媒の全流量がポートｃに供給され、ポートｂには冷媒が供給されないように調整する（即ち、ポートａとポートｃが連通し、ポートａとポートｂが連通しない）。また、制御装置８は、第１ファン２２を駆動するとともに、圧縮機１２を駆動する（第２ファン２８は駆動しない）。さらに、制御装置８は、流量調整弁５２を、ポートｄに供給された熱媒の一部がポートｅに供給され、他の一部がポートｆに供給されるように開度を調整する（即ち、ポートｄとポートｅ、ポートｄとポートｆがそれぞれ連通する）。この際、制御装置８は、ポートｅに供給される熱媒の流量と、ポートｆに供給される熱媒の流量とがほぼ等しくなるように、流量調整弁５２の開度を調整する。さらに、制御装置８は、ポンプ５４を駆動する。
【００４７】
圧縮機１２が駆動することによる冷媒の動きは、上記の蓄熱単独運転（図２参照）の場合と同様であるため、詳しい説明は省略する。また、ポンプ５４が駆動することによる熱媒の動きは、上記の第１の蓄熱暖房同時運転（図３参照）の場合と同様であるため、詳しい説明は省略する。
【００４８】
第３の蓄熱暖房同時運転では、給湯暖房システム２は、上記のようなサイクルで冷媒及び熱媒を循環させることにより、暖房端末５６で室内を暖房することができるとともに、タンク６２内に温水を蓄えることができる。第３の蓄熱暖房同時運転では、室内空気熱交換器２６に冷媒が供給されないため、室内空気熱交換器２６による暖房は行われない。そのため、第１の蓄熱暖房同時運転に比べて、システム全体の暖房能力は低くなる。しかしながら、圧縮機１２で加圧されて高温高圧となった気相状態の冷媒の全量が熱媒熱交換器１６を通過することになるため、第１の蓄熱暖房同時運転に比べて、熱媒熱交換器１６において、熱媒に加えられる熱量が増える。その結果、第１の蓄熱暖房同時運転に比べて、蓄熱能力が高くなる。上記の通り、第３の蓄熱暖房同時運転が行われるべき場合には、第１の蓄熱暖房同時運転が行われるべき場合に比べて必要な暖房能力が低い。この点、第３の蓄熱暖房同時運転では、第１の蓄熱暖房同時運転に比べてシステム全体の暖房能力を低くし、蓄熱能力を高くすることができる。圧縮機１２の能力を適切に蓄熱と暖房に割り当てることができる。
【００４９】
（第１実施例における蓄熱暖房制御処理；図７）
ユーザによって暖房が指示された際に、図３〜図６を用いて説明した暖房単独運転及び各蓄熱暖房同時運転のうちのいずれが実行されるのかは、制御装置８が実行する蓄熱暖房制御処理（図７参照）によって決められる。以下、本実施例において、制御装置８が実行する蓄熱暖房制御処理の内容について説明する。
【００５０】
ユーザによって暖房が指示されると、制御装置８は、図７の蓄熱暖房制御処理を開始する。蓄熱暖房制御処理が開始されると、Ｓ１０では、制御装置８は、タンクサーミスタ６３が検出するタンク６２内の水の温度（以下では「タンク温度」と呼ぶ場合がある）が、所定の蓄熱開始温度より低いか否かを判断する。
【００５１】
Ｓ１０の時点でタンク温度が蓄熱開始温度より低い場合、制御装置８は、Ｓ１０でＹＥＳと判断し、Ｓ１２に進む。Ｓ１０でＹＥＳの場合は、タンク６２への蓄熱要求が発生している場合である。一方、タンク温度が蓄熱開始温度以上である場合、制御装置８は、Ｓ１０でＮＯと判断し、Ｓ１１に進む。Ｓ１０でＮＯの場合は、タンク６２への蓄熱要求が発生していない場合である。この場合、Ｓ１１では、制御装置８は、暖房単独運転（図３参照）を実行する。Ｓ１１の時点で既に暖房単独運転が行われている場合には、暖房単独運転を継続する。その後、制御装置８はＳ１０に戻る。
【００５２】
Ｓ１２では、制御装置８は、室内温度サーミスタ４２が検出する室内温度が暖房設定温度Ｔｓ以上であるか否かを判断する。室内温度が暖房設定温度Ｔｓ以上である場合、制御装置８は、Ｓ１２でＹＥＳと判断し、Ｓ１４に進む。本実施例において、Ｓ１２でＹＥＳの場合とは、室内温度がユーザによって要求されている暖房設定温度Ｔｓに到達しており、高い暖房能力が必要とされない場合である。この場合、Ｓ１４では、制御装置８は、第２の蓄熱暖房同時運転（図５参照）を実行する。Ｓ１４の時点で既に第２の蓄熱暖房同時運転が行われている場合には、第２の蓄熱暖房同時運転を継続する。その後、制御装置８はＳ２０に進む。
【００５３】
一方、Ｓ１２の時点で室内温度が暖房設定温度Ｔｓより低い場合、制御装置８は、Ｓ１２でＮＯと判断し、Ｓ１６に進む。本実施例において、Ｓ１０でＮＯの場合とは、室内温度がユーザによって要求されている暖房設定温度Ｔｓに到達しておらず、高い暖房能力が必要とされる場合である。この場合、Ｓ１６では、制御装置８は、第１の蓄熱暖房同時運転（図４参照）を実行する。Ｓ１６の時点で既に第１の蓄熱暖房同時運転が行われている場合には、第１の蓄熱暖房同時運転を継続する。その後、制御装置８はＳ２０に進む。
【００５４】
Ｓ２０では、制御装置８は、タンク温度が所定の蓄熱終了温度以上であるか否かを判断する。Ｓ２０の時点でタンク温度が蓄熱終了温度以上である場合、制御装置８は、Ｓ２０でＹＥＳと判断し、Ｓ１０に戻る。Ｓ２０でＹＥＳの場合とは、タンク６２内の水の沸き上げが完了している場合である。一方、Ｓ２０の時点でタンク温度が蓄熱終了温度より低い場合、制御装置８は、Ｓ２０でＮＯと判断し、Ｓ１２に戻る。Ｓ２０でＮＯの場合とは、第２の蓄熱暖房同時運転（Ｓ１４）又は第１の蓄熱暖房同時運転（Ｓ１６）のいずれかが既に行われているが、タンク６２内の水の沸き上げが完了していない場合である。
【００５５】
制御装置８は、ユーザから暖房の停止が指示されるまで、上記の蓄熱暖房処理（Ｓ１０〜Ｓ２０）を繰り返し実行する。ユーザから暖房の停止が指示されると、制御装置８は、蓄熱暖房処理を終了する。
【００５６】
以上、本実施例の給湯暖房システム２の構成及び運転内容について説明した。上記の通り、蓄熱暖房同時運転を実行すべき場合（図７のＳ１０でＹＥＳ）において、室内温度が暖房設定温度Ｔｓ以上である場合（Ｓ１２でＹＥＳ）は、室内温度が暖房設定温度Ｔｓより低い場合（Ｓ１２でＮＯ）に比べて必要な暖房能力が低い。この点、本実施例の給湯暖房システム２は、蓄熱暖房同時運転を実行すべき場合（図７のＳ１０でＹＥＳ）において、室内温度が暖房設定温度以上である場合（Ｓ１２でＹＥＳ）に、第２の蓄熱暖房同時運転（図５参照）を実行する。第２の蓄熱暖房同時運転では、暖房端末５６を熱媒が通過しないため、暖房端末５６による暖房は行われない。そのため、第１の蓄熱暖房同時運転に比べて、システム全体の暖房能力（即ち、単位時間当たりの室内への放熱量）は低くなる。ただし、熱媒熱交換器１６における冷媒との熱交換で加熱された高温の熱媒の全量がタンク６２を通過することになるため、第１の蓄熱暖房同時運転に比べて、蓄熱能力（即ち、単位時間当たりのタンク６２内の水への放熱量）は高くなる。そのため、本実施例の給湯暖房システム２は、第２の蓄熱暖房同時運転を行うことで、第１の蓄熱暖房同時運転に比べてシステム全体の暖房能力を低くし、蓄熱能力を高くすることができる。状況に応じて、圧縮機１２の能力を適切に蓄熱と暖房に割り当てることができる。
【００５７】
本実施例と請求項の記載との対応関係を説明しておく。給湯暖房システム２が「ヒートポンプシステム」の一例である。ヒートポンプ空調装置４が「ヒートポンプ」の一例である。第１膨張弁１８及び第２膨張弁３０が「減圧機構」の一例である。室外空気熱交換器２０が「蒸発器」の一例である。暖房端末５６が「暖房端末」の一例である。図７のＳ１２でＹＥＳの場合が「第１の場合」の一例であり、Ｓ１２でＮＯの場合が「第２の場合」の一例である。暖房設定温度Ｔｓが「特定温度」の一例である。暖房端末５６による暖房が「第１暖房」の一例であり、室内空気熱交換器２６による暖房が「第２暖房」の一例である。
【００５８】
（第１実施例の変形例１）
上記の通り、第１実施例では、制御装置８は、図７のＳ１４において、第２の蓄熱暖房同時運転を実行する。本変形例では、Ｓ１４で第２の蓄熱暖房同時運転を実行する際に、制御装置８は、流量調整弁５２の開度を、ポートｄに供給される熱媒の一部がポートｅ（タンク６２側）に供給され、他の一部がポートｆ（暖房端末５６側）に供給されるように調整する。この際、制御装置８は、流量調整弁５２の開度を、ポートｅ（タンク６２側）に供給される熱媒の流量が、ポートｆ（暖房端末５６側）に供給される熱媒の流量よりも大きくなるように調整する（即ち、ｅ＞ｆ）。この場合、暖房端末５６にも、熱媒が一部供給される。ただし、Ｓ１４の第２の蓄熱暖房同時運転で暖房端末５６に供給される熱媒の流量は、Ｓ１６の第１の蓄熱暖房同時運転で暖房端末５６に供給される熱媒の流量よりも小さい。そのため、この場合も、Ｓ１６の第１の蓄熱同時運転に比べて、システム全体の暖房能力は低くなる。ただし、熱媒熱交換器１６における冷媒との熱交換で加熱された高温の熱媒の多くがタンク６２を通過することになるため、第１の蓄熱暖房同時運転に比べて、蓄熱能力は高くなる。従って、この変形例１による場合も、第１実施例と同様の効果を発揮し得る。
【００５９】
（第１実施例の変形例２）
制御装置８は、図７のＳ１４において、第３の蓄熱暖房同時運転（図６参照）を実行してもよい。上記の通り、第３の蓄熱暖房同時運転では、室内空気熱交換器２６に冷媒が供給されないため、室内空気熱交換器２６による暖房は行われない。そのため、第１の蓄熱暖房同時運転に比べて、システム全体の暖房能力は低くなる。しかしながら、この場合も、圧縮機１２で加圧されて高温高圧となった気相状態の冷媒の全量が熱媒熱交換器１６を通過することになるため、第１の蓄熱暖房同時運転に比べて、熱媒循環路５０を通過する熱媒の加熱量が増える。その結果、第１の蓄熱暖房同時運転に比べて、蓄熱能力が高くなる。即ち、第３の蓄熱暖房同時運転でも、第１の蓄熱暖房同時運転に比べてシステム全体の暖房能力を低くし、蓄熱能力を高くすることができる。第１実施例と同様に、圧縮機１２の能力を適切に蓄熱と暖房に割り当てることができる。
【００６０】
（第１実施例の変形例３）
上記の通り、上記変形例２では、制御装置８は、図７のＳ１４において、第３の蓄熱暖房同時運転を実行する。本変形例では、Ｓ１４で第３の蓄熱暖房同時運転を実行する際に、制御装置８は、流量調整弁１４の開度を、ポートａに供給された冷媒の一部がポートｃ（熱媒熱交換器１６側）に供給され、他の一部がポートｂ（室内空気熱交換器２６側）に供給されるように調整する。この際、制御装置８は、流量調整弁１４の開度を、ポートｃ（熱媒熱交換器１６側）に供給される冷媒の流量が、ポートｂ（室内空気熱交換器２６側）に供給される冷媒の流量よりも大きくなるように調整する（即ち、ｃ＞ｂ）。この場合、室内空気熱交換器２６にも、圧縮機１２で加圧された高温高圧の冷媒が一部供給される。ただし、Ｓ１４の第３の蓄熱暖房同時運転で室内空気熱交換器２６に供給される冷媒の流量は、Ｓ１６の第１の蓄熱暖房同時運転で室内空気熱交換器２６に供給される冷媒の流量よりも小さい。そのため、この場合も、Ｓ１６の第１の蓄熱同時運転に比べて、システム全体の暖房能力は低くなる。ただし、圧縮機１２で加圧されて高温高圧となった冷媒の多くが熱媒熱交換器１６を通過することになるため、第１の蓄熱暖房同時運転に比べて、蓄熱能力は高くなる。従って、この変形例３による場合も、上記変形例２と同様の効果を発揮し得る。
【００６１】
（第２実施例）
第１実施例と異なる点を中心に説明する。本実施例の給湯暖房システム２の構成は、第１実施例の給湯暖房システム２と共通する（図１参照）。ただし、本実施例では、室内空気熱交換器２６による暖房（即ち空気暖房）よりも、暖房端末５６による暖房（即ち床暖房）の方が、暖房効率が悪い（即ち、単位時間当たりの室内への放熱量が少ない）。このような前提が存在する状況で、図８に示すように、蓄熱暖房同時運転を行うべき場合（図８のＳ３０でＹＥＳ）に、暖房効率が比較的悪い暖房端末５６による暖房を行わない蓄熱暖房同時運転（即ち、第２の蓄熱暖房同時運転）を行う。
【００６２】
（第２実施例における蓄熱暖房制御処理；図８）
ユーザによって暖房が指示されると、制御装置８は、図８の蓄熱暖房制御処理を開始する。蓄熱暖房制御処理が開始されると、Ｓ３０では、制御装置８は、タンク温度が、所定の蓄熱開始温度より低いか否かを判断する。Ｓ３０の判断は、図７のＳ１０と同様の判断であるため、詳しい説明は省略する。
【００６３】
Ｓ３０でＹＥＳの場合、Ｓ３２に進み、制御装置８は、第２の蓄熱暖房運転（図５参照）を実行する。Ｓ３２を終えると、Ｓ３６に進む。Ｓ３６では、制御装置８は、タンク温度が所定の蓄熱終了温度以上であるか否かを判断する。Ｓ３６の判断は、図７のＳ２０と同様の判断であるため、詳しい説明は省略する。Ｓ３６でＹＥＳの場合、Ｓ３０に戻る。Ｓ３６でＮＯの場合、Ｓ３２に戻り、第２の蓄熱暖房運転を継続する。
【００６４】
一方、Ｓ３０でＮＯの場合、Ｓ３４に進み、制御装置８は、暖房単独運転（図３参照）を実行する。Ｓ３４を終えると、Ｓ３０に戻る。
【００６５】
本実施例の給湯暖房システム２は、蓄熱暖房同時運転を実行すべき場合（図８のＳ３０でＹＥＳ）に、暖房効率が比較的悪い暖房端末５６を行わない第２の蓄熱暖房同時運転を実行する（Ｓ３２）。そのため、本実施例でも、蓄熱暖房同時運転を実行する場合に、圧縮機１２の能力を、暖房により少なく割り当て、蓄熱により多く割り当てることができる。また、暖房効率が比較的良い室内空気熱交換器２６による暖房の暖房能力は抑制させないため、室内の利用者の暖房要求を満たすことができる。即ち、本実施例の給湯暖房システム２は、状況に応じて、圧縮機１２の能力を暖房と蓄熱に適切に割り当てることができる。
【００６６】
（第２実施例の変形例１）
上記の通り、第２実施例では、制御装置８は、図８のＳ３２において、第２の蓄熱暖房同時運転を実行する。本変形例では、Ｓ３２で第２の蓄熱暖房同時運転を実行する際に、制御装置８は、流量調整弁５２の開度を、ポートｄに供給される熱媒の一部がポートｅ（タンク６２側）に供給され、他の一部がポートｆ（暖房端末５６側）に供給されるように調整する。この際、制御装置８は、流量調整弁５２の開度を、ポートｅ（タンク６２側）に供給される熱媒の流量が、ポートｆ（暖房端末５６側）に供給される熱媒の流量よりも大きくなるように調整する（即ち、ｅ＞ｆ）。この場合も、暖房単独運転を行う場合に比べると、暖房端末５６の暖房能力を減少させることができる。また、熱媒熱交換器１６における冷媒との熱交換で加熱された高温の熱媒の多くがタンク６２を通過することになるため、圧縮機１２の能力の多くを蓄熱に割り当てることができる。従って、この変形例１による場合も、第２実施例と同様の効果を発揮し得る。
【００６７】
（第２実施例の変形例２）
上記の第２実施例の場合とは反対に、暖房端末５６による暖房（即ち床暖房）よりも、室内空気熱交換器２６による暖房（即ち空気暖房）の方が、暖房効率が悪いという前提が存在する状況では、制御装置８は、図８のＳ３２において、第３の蓄熱暖房同時運転（図６参照）を実行してもよい。この場合、暖房効率が悪い室内空気熱交換器２６による暖房は行われない。そのため、蓄熱暖房同時運転を実行すべき場合に、圧縮機１２の能力を、暖房により少なく割り当て、蓄熱により多く割り当てることができる。また、暖房効率が比較的良い暖房端末５６による暖房の暖房能力は抑制させないため、室内の利用者の暖房要求を満たすことができる。この変形例２による場合も、第２実施例と同様の効果を発揮し得る。
【００６８】
（第２実施例の変形例３）
上記の通り、上記変形例２では、図８のＳ３２において、暖房効率の悪い室内空気熱交換器２６による暖房を行わない第３の蓄熱暖房同時運転を実行する。本変形例では、Ｓ３２で第３の蓄熱暖房同時運転を実行する際に、制御装置８は、流量調整弁１４の開度を、ポートａに供給された冷媒の一部がポートｃ（熱媒熱交換器１６側）に供給され、他の一部がポートｂ（室内空気熱交換器２６側）に供給されるように調整する。この際、制御装置８は、流量調整弁１４の開度を、ポートｃ（熱媒熱交換器１６側）に供給される冷媒の流量が、ポートｂ（室内空気熱交換器２６側）に供給される冷媒の流量よりも大きくなるように調整する（即ち、ｃ＞ｂ）。この場合も、暖房単独運転を行う場合に比べると、室内空気熱交換器２６の暖房能力を減少させることができる。また、圧縮機１２で加圧されて高温高圧となった冷媒の多くが熱媒熱交換器１６を通過することになるため、蓄熱能力は高くなる。従って、この変形例３による場合も、上記変形例２と同様の効果を発揮し得る。
【００６９】
（第３実施例）
第２実施例と異なる点を中心に説明する。本実施例の給湯暖房システム２の構成も、第１及び第２実施例の給湯暖房システム２と共通する（図１参照）。上記の通り、本実施例の給湯暖房システム２では、室内において、室内空気熱交換器２６が、暖房端末５６（いわゆる床暖房用の端末）よりも高い位置に設けられている。本実施例では、蓄熱暖房同時運転を行うべき場合（図８のＳ３０でＹＥＳ）に、より高い位置に設けられている室内空気熱交換器２６による暖房を行わない蓄熱暖房同時運転（即ち、第３の蓄熱暖房同時運転）を実行する。
【００７０】
（第３実施例における蓄熱暖房制御処理；図８）
本実施例において制御装置８が実行する蓄熱暖房制御処理は、第２実施例の蓄熱暖房制御処理（図８参照）と基本的に共通する。ただし、本実施例では、Ｓ３２において、制御装置８は、より高い位置に設けられている室内空気熱交換器２６による暖房を行わない第３の蓄熱暖房同時運転を実行する点が第２実施例とは異なる。
【００７１】
本実施例の給湯暖房システム２は、蓄熱暖房同時運転を実行すべき場合（図８のＳ３０でＹＥＳ）に、より高い位置に設けられている室内空気熱交換器２６による暖房を行わない第３の蓄熱暖房同時運転を実行する（Ｓ３２）。そのため、本実施例でも、蓄熱暖房同時運転を実行する場合に、暖房単独運転を実行する場合に比べて、圧縮機１２の能力を、暖房により少なく割り当て、蓄熱により多く割り当てることができる。また、通常、室内を暖房する場合、室内において低い位置に設けられている端末（即ち暖房端末５６）を用いて暖房する方が、高い位置に設けられている端末（即ち室内空気熱交換器２６）を用いて暖房する場合に比べ、室内の利用者が快適に感じる。第３の蓄熱暖房同時運転では、より低い位置に設けられている暖房端末５６による暖房の能力は抑制しないため、室内空気熱交換器２６による暖房の能力を抑制させた場合であっても、室内の利用者の暖房要求を満たすことができる。即ち、本実施例の給湯暖房システム２は、状況に応じて、圧縮機１２の能力を暖房と蓄熱に適切に割り当てることができる。
【００７２】
（第３実施例の変形例１）
上記の通り、第３実施例では、図８のＳ３２において、より高い位置に設けられている室内空気熱交換器２６による暖房運転を実行しない第３の蓄熱暖房同時運転を実行する。本変形例では、Ｓ３２で第３の蓄熱暖房同時運転を実行する際に、制御装置８は、流量調整弁１４の開度を、ポートａに供給された冷媒の一部がポートｃ（熱媒熱交換器１６側）に供給され、他の一部がポートｂ（室内空気熱交換器２６側）に供給されるように調整する。この際、制御装置８は、流量調整弁１４の開度を、ポートｃ（熱媒熱交換器１６側）に供給される冷媒の流量が、ポートｂ（室内空気熱交換器２６側）に供給される冷媒の流量よりも大きくなるように調整する（即ち、ｃ＞ｂ）。この場合も、暖房単独運転を行う場合に比べると、室内空気熱交換器２６の暖房能力を減少させることができる。また、蓄熱能力は高くなる。従って、この変形例３による場合も、第２実施例と同様の効果を発揮し得る。
【００７３】
（第３実施例の変形例２）
上記の第３実施例の場合とは反対に、暖房端末５６が、室内において、室内空気熱交換器２６よりも高い位置に設けられていてもよい。この場合には、制御装置８は、図８のＳ３２において、第２の蓄熱暖房同時運転（図５参照）を実行してもよい。この場合、より高い位置に設けられている暖房端末５６による暖房は行われない。そのため、蓄熱暖房同時運転を実行する場合に、暖房単独運転を実行する場合に比べて、圧縮機１２の能力を、暖房により少なく割り当て、蓄熱により多く割り当てることができる。また、より低い位置に設けられている室内空気熱交換器２６による暖房の暖房能力は抑制させないため、室内の利用者の暖房要求を満たすことができる。即ち、この変形例２による場合も、第３実施例と同様の効果を発揮し得る。
【００７４】
（第３実施例の変形例３）
上記の通り、上記変形例２では、図８のＳ３２において、より高い位置に設けられている暖房端末５６による暖房を行わない第２の蓄熱暖房同時運転を実行する。本変形例では、Ｓ３２で第２の蓄熱暖房同時運転を実行する際に、制御装置８は、流量調整弁５２の開度を、ポートｄに供給される熱媒の一部がポートｅ（タンク６２側）に供給され、他の一部がポートｆ（暖房端末５６側）に供給されるように調整する。この際、制御装置８は、流量調整弁５２の開度を、ポートｅ（タンク６２側）に供給される熱媒の流量が、ポートｆ（暖房端末５６側）に供給される熱媒の流量よりも大きくなるように調整する（即ち、ｅ＞ｆ）。この場合も、暖房単独運転を行う場合に比べると、暖房端末５６の暖房能力を減少させることができる。また、熱媒熱交換器１６における冷媒との熱交換で加熱された高温の熱媒の多くがタンク６２を通過することになるため、圧縮機１２の能力の多くを蓄熱に割り当てることができる。従って、この変形例３による場合も、第２実施例と同様の効果を発揮し得る。
【００７５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例が含まれる。
【００７６】
（変形例）ヒートポンプ空調装置４は、室内空気熱交換器２６を備えていなくてもよい。その場合、第１実施例において、図７のＳ１４では、制御装置８は、第２の蓄熱暖房同時運転を実行するようにしてもよい。
【００７７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７８】
２：給湯暖房システム
４：ヒートポンプ空調装置
６：給湯床暖房装置
８：制御装置
１２：圧縮機
１４：流量調整弁
１６：熱媒熱交換器
１８：第１膨張弁
２０：室外空気熱交換器
２２：第１ファン
２６：室内空気熱交換器
２８：第２ファン
３０：第２膨張弁
３２：冷媒循環路
４０：外気温サーミスタ
４２：室内温度サーミスタ
５０：熱媒循環路
５２：流量調整弁
５４：ポンプ
５６：暖房端末
６２：タンク
６３：タンクサーミスタ
６６：温水供給管
６８：水導入管
【図１】
0006427380.tif 000002
【図２】
0006427380.tif 000003
【図３】
0006427380.tif 000004
【図４】
0006427380.tif 000005
【図５】
0006427380.tif 000006
【図６】
0006427380.tif 000007
【図７】
0006427380.tif 000008
【図８】
0006427380.tif 000009